【事件の表示】
　特願２０００−２７３２１７「スロットマシン」拒絶査定不服審判事件〔平成１４年３月１９日出願公開、特開２００２−７８８５１〕について、次のとおり審決する。
【結　論】
　本件審判の請求は、成り立たない。
【理　由】
１　手続の経緯
　本願は、平成１２年９月８日の出願であって、平成１６年９月３日付で拒絶査定がなされたところ、これに対し、同年１０月１２日に拒絶査定不服審判が請求されるとともに、同年１１月１１日付で手続補正がなされたものである。
　
２　平成１６年１１月１１日付の手続補正についての補正却下の決定
　
［補正却下の決定の結論］
　平成１６年１１月１１日付の手続補正を却下する。
　
［理由］
（１）補正後の本願発明
　平成１６年１１月１１日付の手続補正（以下、「本件補正」という）により、特許請求の範囲の請求項１は、次のとおりに補正された。
　
　「表示窓に対して複数種の図柄を順次移動させて表示する複数の図柄表示手段と、
これら複数の図柄表示手段を通常始動させる始動信号を出力する始動操作部と、
始動後の各図柄表示手段をそれぞれ停止させる停止信号を出力する停止操作部と、
始動操作部が操作されたとき、表示窓の入賞ライン上に停止する図柄表示手段の図柄組合せを抽選する抽選手段を備えているスロットマシンであって、
　抽選手段で抽選される当選図柄毎に、抽選情報を演出表示する複数の演出形態と抽選情報の閲覧権利が得られたことを表示する演出形態とを記憶する記憶装置と、
抽選手段による抽選結果に基づいて記憶装置に記憶されている抽選結果に対応する演出形態の中から一つの演出形態を抽選する演出抽選手段と、
演出抽選手段で抽選された演出形態を停止操作部の操作前に表示させる情報表示手段を設けるとともに、
　前記図柄表示手段が作動停止してから表示窓の入賞ライン上に停止する図柄表示手段の図柄組合せを判定するまでの間において、前記演出抽選手段で次のゲーム時に抽選情報を閲覧できる情報閲覧権利が抽選されていることに基づいて、情報閲覧権利獲得の演出形態を情報表示手段で表示させるとともに情報閲覧権利獲得フラグをＯＮにする手段を設け、
　更に、前記情報表示手段での抽選演出形態の表示後に停止操作部が操作されたか否かを判別する判別手段の判別結果が非操作状態にあり、かつ、情報閲覧権利獲得フラグがＯＮにあるか否かを判別する判別手段の判別結果がＯＮ状態にあるとき、前記表示操作部の操作に基づいて情報閲覧権利獲得フラグをＯＦＦにするとともに情報表示手段に抽選情報を演出表示させる手段を設けてあるスロットマシン。」
　
　上記補正は、平成１６年７月１２日付の手続補正書の特許請求の範囲の請求項１に記載された「情報閲覧権利獲得の演出形態を情報表示手段で表示させるように構成してある」及び「情報表示手段に抽選情報を演出表示させるように構成し」との発明特定事項について、「情報閲覧権利獲得の演出形態を情報表示手段で表示させるとともに情報閲覧権利獲得フラグをＯＮにする手段」及び「前記表示操作部の操作に基づいて情報閲覧権利獲得フラグをＯＦＦにするとともに情報表示手段に抽選情報を演出表示させる手段」との限定を付加する補正を含んでおり、この補正は、平成１８年改正前特許法第１７条の２第４項第２号の特許請求の範囲の減縮を目的とするものに該当するから、本件補正後の請求項１に記載された事項により特定される発明（以下、「本願補正発明」という）が、特許出願の際独立して特許を受けることができるものであるか（平成１８年改正前特許法第１７条の２第５項において準用する同法第１２６条第５項の規定に適合するか）について以下に検討する。
　
（２）引用例
　原査定の拒絶の理由に引用された特開２０００−２２９１４４号公報（以下、「引用例１」という）には、図面とともに、以下の事項が記載されている。
　
　ア．「【００２５】【実施例】図１は、この発明の一実施例にかかるスロットマシンの外観を、図２は機体内部の構成を、それぞれ示す。図示例のスロットマシン１は、ボックス形状の本体部２の前面開口に扉部３を開閉可能に取り付けて成る。前記本体部２の中空内部には、上段位置にリールブロック４や、後記する制御部が搭載された制御基板５などが組み込まれ、下段位置には多数枚のメダルを収容するホッパー６ａを有するメダル払出機６などが組み込まれている。
【００２６】前記リールブロック４は、金属フレーム７に３個のリール８ａ，８ｂ，８ｃ、が、駆動源となるステッピングモータ９ａ，９ｂ，９ｃとともに組み付けられている。各リール８ａ，８ｂ，８ｃの外周面には、図柄，文字，数字などの複数種のシンボルが配置されており、その幾つかのシンボルは、入賞を成立させるための入賞シンボルを構成する。」
　イ．「【００２８】正面パネル１１と下部パネル１３との間には、始動レバー１４，停止釦スイッチ１５ａ，１５ｂ，１５ｃ，ベット釦スイッチ１７，１８，１９，精算スイッチ２２，切換スイッチ２３など、ゲーム実行のための各種操作スイッチが配備されるほか、メダルを直接機体に投入するためのメダル投入口１６やフラグ報知モード選択用の選択操作部２１（詳細は後記する）が設けられる。また下部パネル１３の下方には、メダル払出口２５，メダル受け皿２４などが設けられる。」
　ウ．「【００３０】中央の正面パネル１１には、図３に示すようなシンボル表示部２０が形成される。前記シンボル表示部２０には、正面パネル１１上にカラー印刷層で囲まれた透明の３個のシンボル表示窓２０ａ，２０ｂ，２０ｃが横一列に形成されて成る。各シンボル表示窓２０ａ，２０ｂ，２０ｃの背後位置には、前記リールブロック４の３個のリール８ａ，８ｂ，８ｃが、外周面をシンボル表示窓２０ａ，２０ｂ，２０ｃに向けて配置されている。」
　エ．「【００３５】さらにこの実施例のスロットマシンは、始動レバー１４の操作により各リール８ａ，８ｂ，８ｃが始動した直後に、制御部内で抽選を実施し、その抽選結果に応じて入賞ライン上に成立させるシンボルの組合せを決定するようにしている。そして停止釦スイッチ１５ａ，１５ｂ，１５ｃが操作される都度、対応するリール８ａ，８ｂ，８ｃに対し、それぞれ入賞ライン上に目的とするシンボルが移動するまで引き込んでから停止させる「引込み制御」を実施する。特に前記抽選が「大当たり」となった場合には、入賞ライン上に数字の「７」のシンボル組合せが成立するような引込み制御を行い、さらに「７」のシンボル組合せの成立に応じて、入賞確率の高いボーナスゲームを複数回実行する。」
　オ．「【００４４】前記ＣＰＵ３２には、バス３１を介して各種の入出力部が接続され、ＣＰＵ３２は、ＲＯＭ３３内のプログラムに基づき、各種入力信号を認識しつつ、出力部に駆動信号を与えて、ゲームに関わる一連の処理を実行する。入力部としては、前記メダル払出機６，始動レバー１４，停止釦スイッチ１５ａ，１５ｂ，１５ｃ，ベッド釦スイッチ１７，１８，１９，精算スイッチ２２，切換スイッチ２３，選択スイッチ２１ａ，２１ｂ，２１ｃのほか、メダル投入口１６より投入されたメダルを検知するためのメダル検知センサ３７などが接続される。また出力部としては、前記ステッピングモータ９ａ，９ｂ，９ｃを駆動するリール駆動部３６や当たり報知ランプ２７などの表示器、ならびに効果音などを出力する音声回路（図示せず）が接続される。
【００４５】上記構成において、ＣＰＵ３２は、まずメダル投入口１６へのメダル投入またはベッド釦スイッチ１７，１８，１９の操作に応じていずれかの入賞ラインを有効化する。ついで始動レバー１４が操作されると、ＣＰＵ３２は、抽選処理を行うと同時に、リール駆動部３６を駆動して３個のリール８ａ，８ｂ，８ｃを一斉に回転させる。以後、停止釦スイッチ１５ａ，１５ｂ，１５ｃが押操作される都度、対応するリール８ａ，８ｂ，８ｃを、抽選結果に応じて所定の回転位置まで引き込んで停止させる。
【００４６】なお上記した抽選処理は、前記乱数発生器３５の出力した乱数値をサンプリングして、そのサンプリング値をＲＯＭ３３内の抽選テーブルと照合することにより行われる。またリールの引込み停止制御は、各リール８ａ，８ｂ，８ｃ毎に、対応するステッピングモータ９ａ，９ｂ，９ｃに与える駆動信号をカウントしつつリールの回転位置を逐次確認し、目的とする回転位置に到達した時点でステッピングモータ９ａ，９ｂ，９ｃを停止させることにより実現するものである。ただしいずれの制御も公知のものであるので、ここでは詳細な説明は省略することにする。
【００４７】図６は、この発明にかかるスロットマシンの他の例を示す。この実施例のスロットマシン１は、制御部３０内でフラグ報知を行うかどうかを選択し、その選択に応じて、適宜、当たり報知ランプ２７によるフラグ報知を実行するようにしたもので、前記選択操作部２１に代えて、正面パネル１１のシンボル表示部の近傍位置に、モード表示ランプ３８を配備している。
【００４８】このモード表示ランプ３８は、機体がフラグ報知を行うように設定されている状態下で点灯するもので、この点灯の有無により、遊技者に、報知モードであるか、非報知モードであるかが報知される。なおその他の構成については図１と同様であるから、各部に同一の符号を付すことにより、詳細な説明を省略する。」
　カ．「【００６９】図１０は、選択操作部２１に単一の押釦スイッチを設け、そのスイッチ操作に応じてその時点での入賞フラグの設定状態を報知するようにしたスロットマシンの制御手順を示す。なおゲーム実行のための主要な手順は図７，８と同様であるので、ここでは詳細な説明を省略する。
【００７０】図示の手順では、全てのリール８ａ，８ｂ，８ｃが停止して入賞ライン上に入賞以外のシンボル組合せが成立したとき、および各リール８ａ，８ｂ，８ｃが回転してからすべてのリールが停止するまでの間に、スイッチ操作を受け付け、入賞フラグＦBの設定状態を遊技者に報知するようにしている。
【００７１】各リール８ａ，８ｂ，８ｃが停止して特別入賞、一般入賞のいずれも成立しなかった場合に、遊技者が選択操作部２１の押釦スイッチを操作すると、ＳＴ１５が「ＹＥＳ」となる。これを受けてＣＰＵ３２は、入賞フラグＦBの設定状態をチェックし、入賞フラグＦBがセットされている場合には、当たり報知ランプ２７を点灯させる（ＳＴ１６，１７）。なおこの当たり報知ランプ２７の点灯状態は、つぎのゲームの開始操作に応じて解除される（ＳＴ２，２３）。
【００７２】また各リール８ａ，８ｂ，８ｃが始動してからすべてのリールが停止するまでの間のいずれかのリールに対する停止操作の前に前記押釦スイッチが操作されると、ＳＴ８の「ＮＯ」判定に続いてＳＴ１８が「ＹＥＳ」となる。これを受けてＣＰＵ３２は、前記と同様に、入賞フラグＦBの設定状態をチェックし、入賞フラグＦBがセットされている場合には、当たり報知ランプ２７を点灯させる（ＳＴ１９，２０）。なおこの場合の当たり報知ランプ２７の点灯状態は、最初の停止操作がなされたことに伴い、解除される（ＳＴ２１，２２）。
【００７３】上記のような制御手順によれば、遊技者は、入賞ライン上に成立したシンボル組合せから入賞フラグが設定されている可能性があると感じたときなどにスイッチ操作を行って、入賞フラグの設定の有無を確認することができる。特にリーチ目やパターン目について、ある程度の知識を持つ中級の遊技者にとって、このようなフラグの設定状態を必要に応じて確認できる方式のスロットマシンは、ゲーム内容への理解を深める上で最適であり、また自身の予想と実際のフラグ設定とが一致するかどうかを確認できるという、これまでにないゲーム性を提供することができる。」
　キ．「【００７５】つぎの図１１〜１４の各制御手順は、図６に示したフラグ報知用のモードを自動的に変更するタイプのスロットマシンに導入されるものである。なおいずれの手順においても、ゲームにかかる主要な手順は、図７，８と同様であるので、詳細な説明は省略する。また図示の手順には含んでいないが、各実施例とも、機体が報知モードに設定されている間は、前記モード表示ランプ３８を点灯動作させている。」
　ク．「【００８６】つぎに図１３および図１４に示す処理は、抽選により、報知モード、非報知モードのいずれかを選択するようにしたものである。この実施例では、初期状態では、機体は非報知モードに設定される（ＳＴ１）。この非報知モード下においては、ＳＴ２のゲーム開始操作に応じて各リール８ａ，８ｂ，８ｃが始動すると、これらリールの停止制御用の抽選に先立ち、モード変更用の抽選が行われる（ＳＴ４，５）。さらにこの抽選が当たりになると、つぎのＳＴ６が「ＹＥＳ」となり、ＳＴ７で機体は報知モードに切り換えられる。
【００８７】以下、報知モード下では、入賞フラグＦBが設定されたことに応じて、当たり報知ランプ２７が点灯し、その点灯状態が特別入賞が成立するまで保持される（ＳＴ１２〜ＳＴ２０）。なおこの報知モードは、特別入賞の出現に応じて解除され、再び非報知モードへと移行する（ＳＴ２１）。
【００８８】一方、非報知モード下で入賞フラグＦBが設定された場合は、なんら報知は行われないが、一度設定された入賞フラグＦBが特別入賞が成立するまで保持される点は、報知モード下と同様である。したがって非報知モード下において、入賞フラグＦBが持越しされた状態で前記モード変更用の抽選が当たりになると、ＳＴ８からＳＴ２４、２５を介してＳＴ１３へと移行する。これにより当たり報知ランプ２７が点灯して、入賞フラグＦBが持ち越されていたことが報知される。
【００８９】なお上記実施例では、非報知モード下において報知モードに切り換えるか否かを決定しているが、反対に最初は報知モードに設定しておき、非報知モードに切り換えるかどうかを決定するようにしてもよい。また現在設定されているモードに関わらず、所定時間おき、または所定数のゲームが実行される毎に、モードを切り換えるか否かを決定するようにしてもよい。」
　
　以上の記載事項ア〜オ、キ、クを参酌すると、引用例１には次の発明（以下、「引用発明１−１」という）が記載されているものと認められる。
　
　「３個のシンボル表示窓２０ａ，２０ｂ，２０ｃの背後位置には、外周面に、図柄，文字，数字などの複数種のシンボルが配置された３個のリール８ａ，８ｂ，８ｃが、外周面をシンボル表示窓２０ａ，２０ｂ，２０ｃに向けて配置され、
　ＣＰＵ３２は、始動レバー１４，停止釦スイッチ１５ａ，１５ｂ，１５ｃを入力部として各種入力信号を認識しつつ、出力部に駆動信号を与えて、ゲームに関わる一連の処理を実行するものであり、まずメダル投入口１６へのメダル投入またはベッド釦スイッチ１７，１８，１９の操作に応じていずれかの入賞ラインを有効化し、ついで始動レバー１４が操作されると、抽選処理を行うと同時に、リール駆動部３６を駆動して３個のリール８ａ，８ｂ，８ｃを一斉に回転させ、以後、停止釦スイッチ１５ａ，１５ｂ，１５ｃが押操作される都度、対応するリール８ａ，８ｂ，８ｃを、抽選結果に応じて所定の回転位置まで引き込んで停止させ、
　初期状態では、機体は非報知モードに設定され、この非報知モード下においては、ゲーム開始操作に応じて各リール８ａ，８ｂ，８ｃが始動すると、これらリールの停止制御用の抽選に先立ち、モード変更用の抽選が行われ、この抽選が当たりになると、機体は報知モードに切り換えられ、報知モード下では、入賞フラグＦBが設定されたことに応じて、当たり報知ランプ２７が点灯し、その点灯状態が特別入賞が成立するまで保持され、この報知モードは、特別入賞の出現に応じて解除され、再び非報知モードへと移行するものであり、
　機体が報知モードに設定されている間は、モード表示ランプ３８を点灯動作させているスロットマシン１。」
　
　また、上記の記載事項カを参酌すると、引用例１にはさらに次の発明（以下、「引用発明１−２」という）が記載されているものと認められる。
　
　「各リール８ａ，８ｂ，８ｃが始動してからすべてのリールが停止するまでの間のいずれかのリールに対する停止操作の前に押釦スイッチが操作されると、これを受けてＣＰＵ３２は、入賞フラグＦBの設定状態をチェックし、入賞フラグＦBがセットされている場合には、当たり報知ランプ２７を点灯させるスロットマシン１。」
　
　そして、原査定の拒絶の理由に引用された特開平１１−２０６９６０号公報（以下、「引用例２」という）には、図面とともに、以下の事項が記載されている。
　
　「【００３３】図３において、初めに遊技機（スロットマシン１）の電源がオンになると（ステップＳＴ１）、制御手段としてのＣＰＵは、表示画面６の画面に「ルーチンパターン」を表示させる（ＳＴ２）。ここで遊技者が所定の操作をすると、すなわち、メダル投入口７にメダルを投入し、１−ＢＥＴスイッチ９又は最大ＢＥＴスイッチ１０を操作した後、スタートレバー５又はスピンスイッチ８を操作すると、リール４Ｌ，４Ｃ，４Ｒが回転して可変表示を開始する（ＳＴ３）。この時、乱数サンプリングにより抽出した乱数に基づいて入賞／非入賞の判定を行う（ＳＴ４）。そして「入賞リクエスト信号」が発生したかどうかを判定し（ＳＴ５）、その判定結果に応じて表示画像を決定する。すなわち、「入賞リクエスト信号」が発生していなければ、「ハズレ」用の演出パターン群の中から特定の演出パターンを選択する（ＳＴ６）。「入賞リクエスト信号」が発生したときは、その「入賞リクエスト信号」が「大当り」に該当するか否かを判定し（ＳＴ７）、“ＮＯ”であれば「小当り」用の演出パターン群の中から特定の「小当り」用の演出パターンを選択し（ＳＴ８）、“ＹＥＳ”であれば「大当り」用の演出パターン群の中から特定の「大当り」用の演出パターンを選択する（ＳＴ９）。ここで、上記各演出パターン群（「ハズレ」用の演出パターン群，「当り」用の演出パターン群，「大当り」用の演出パターン群）はそれぞれ複数の演出パターンで形成し、ＲＯＭ２２に収められている。そして、このように選択したパターンを液晶表示器６に表示させ（ＳＴ１０）、回転中のリール４Ｌ，４Ｃ，４Ｒについて入賞リクエスト信号に応じた停止制御を行って（ＳＴ１１）、終了する。」
　
　以上の記載事項を参酌すると、引用例２には次の発明（以下、「引用発明２」という）が記載されているものと認められる。
　
　「乱数サンプリングにより抽出した乱数に基づいて入賞／非入賞の判定を行い、「入賞リクエスト信号」が発生していなければ、「ハズレ」用の演出パターン群の中から特定の演出パターンを選択し、「入賞リクエスト信号」が発生したときは、その「入賞リクエスト信号」が「大当り」に該当するか否かを判定し、“ＮＯ”であれば「小当り」用の演出パターン群の中から特定の「小当り」用の演出パターンを選択し、“ＹＥＳ”であれば「大当り」用の演出パターン群の中から特定の「大当り」用の演出パターンを選択し、ここで、上記各演出パターン群はそれぞれ複数の演出パターンで形成してＲＯＭ２２に収められており、このように選択したパターンを液晶表示器６に表示させた後、回転中のリール４Ｌ，４Ｃ，４Ｒについて入賞リクエスト信号に応じた停止制御を行うスロットマシン１。」
　
（３）対比
　本願補正発明と引用発明１−１を比較する。
　引用発明１−１の「シンボル表示窓２０ａ，２０ｂ，２０ｃ」は本願補正発明の「表示窓」に相当し、以下同様に、「シンボル」は「図柄」に、「始動レバー１４」は「始動操作部」に、「停止釦スイッチ１５ａ，１５ｂ，１５ｃ」は「停止操作部」に、「スロットマシン１」は「スロットマシン」にそれぞれ相当し、さらに以下のことが言える。
　引用発明１−１の「３個のリール８ａ，８ｂ，８ｃ」に配置されたシンボル（図柄）は、「リール駆動部３６を駆動して３個のリール８ａ，８ｂ，８ｃを一斉に回転させ」ることによって「シンボル表示窓２０ａ，２０ｂ，２０ｃ」（表示窓）に対して順次移動させて表示されることは明らかであり、「シンボル表示窓２０ａ，２０ｂ，２０ｃ」と「リール８ａ，８ｂ，８ｃ」からなる事項は、本願補正発明の「複数の図柄表示手段」に対応する。
　引用発明１−１において、「ＣＰＵ３２は、始動レバー１４，停止釦スイッチ１５ａ，１５ｂ，１５ｃを入力部として各種入力信号を認識」することから、「始動レバー１４」（始動操作部）及び「停止釦スイッチ１５ａ，１５ｂ，１５ｃ」（停止操作部）は、それぞれ「始動信号」及び「停止信号」を出力することは自明である。
　引用発明１−１は「始動レバー１４が操作されると、抽選処理を行う」のであるから、「抽選手段」を備えていることは自明であり、該抽選手段の抽選結果に応じて、「停止釦スイッチ１５ａ，１５ｂ，１５ｃが押操作される都度、対応するリール８ａ，８ｂ，８ｃを・・・所定の回転位置まで引き込んで停止させ」るのであるから、引用発明１−１は、本願補正発明の「始動操作部が操作されたとき、表示窓の入賞ライン上に停止する図柄表示手段の図柄組合せを抽選する抽選手段」を実質的に備えている。
　引用発明１−１の「モード変更用の抽選」は、「この抽選が当たりになると、機体は報知モードに切り換えられ、報知モード下では、入賞フラグＦBが設定されたことに応じて、当たり報知ランプ２７が点灯」するものであり、「機体が報知モードに設定されている間は、モード表示ランプ３８を点灯動作させ」ることになる。ここで、「入賞フラグＦBが設定されたことに応じて、当たり報知ランプ２７が点灯」するということは、本願補正発明において「情報表示手段に抽選情報を演出表示させる」ことによって「抽選情報を閲覧できる」ということと実質的に異ならず、「モード変更用の抽選」を行う手段は、「抽選情報を閲覧できる情報閲覧権利」を抽選するという意味において、本願補正発明の「演出抽選手段」に対応するものである。また、「機体が報知モードに設定されている間は、モード表示ランプ３８を点灯動作させ」る事項は、本願補正発明の「情報閲覧権利獲得の演出形態を情報表示手段で表示させる」事項に対応する。そして、引用発明１−１が「報知モード」にある状態とは、本願補正発明において「情報閲覧権利獲得フラグがＯＮにある」状態に他ならず、引用発明１−１が該フラグを「ＯＮにする手段」及び「ＯＮにあるか否かを判別する判別手段」を備えていることは自明である。
　
　したがって、両者は、
　「表示窓に対して複数種の図柄を順次移動させて表示する複数の図柄表示手段と、
これら複数の図柄表示手段を通常始動させる始動信号を出力する始動操作部と、
始動後の各図柄表示手段をそれぞれ停止させる停止信号を出力する停止操作部と、
始動操作部が操作されたとき、表示窓の入賞ライン上に停止する図柄表示手段の図柄組合せを抽選する抽選手段を備えているスロットマシンであって、
　演出抽選手段で抽選情報を閲覧できる情報閲覧権利が抽選されていることに基づいて、情報閲覧権利獲得の演出形態を情報表示手段で表示させるとともに情報閲覧権利獲得フラグをＯＮにする手段を設け、
　更に、前記情報表示手段での抽選演出形態の表示後に、情報閲覧権利獲得フラグがＯＮにあるか否かを判別する判別手段の判別結果がＯＮ状態にあるとき、情報表示手段に抽選情報を演出表示させる手段を設けてあるスロットマシン。」
で一致し、以下の点で相違する。
　
（相違点１）
　本願発明では、抽選手段で抽選される当選図柄毎に、抽選情報を演出表示する複数の演出形態と抽選情報の閲覧権利が得られたことを表示する演出形態とを記憶する記憶装置と、抽選手段による抽選結果に基づいて記憶装置に記憶されている抽選結果に対応する演出形態の中から一つの演出形態を抽選する演出抽選手段と、演出抽選手段で抽選された演出形態を停止操作部の操作前に表示させる情報表示手段を設けるのに対して、引用発明１−１では、かかる記憶装置は設けておらず、演出抽選手段は演出形態を抽選するものではなく、情報表示手段は演出抽選手段で抽選された演出形態を表示するものではない点。
　
（相違点２）
　演出抽選手段で抽選情報を閲覧できる情報閲覧権利が抽選されていることに基づいて、情報閲覧権利獲得の演出形態を情報表示手段で表示させるとともに情報閲覧権利獲得フラグをＯＮにするにあたり、本願発明では、抽選情報を閲覧できるのは次のゲーム時であり、図柄表示手段が作動停止してから表示窓の入賞ライン上に停止する図柄表示手段の図柄組合せを判定するまでの間において表示及びフラグのＯＮが実行されるのに対して、引用発明１−１では、実行中のゲーム以降の抽選情報を閲覧でき、演出抽選手段でかかる権利が抽選されると直ちに表示及びフラグのＯＮが実行される点。
　
（相違点３）
　情報閲覧権利獲得フラグがＯＮ状態にあるとき、情報表示手段に抽選情報を演出表示させるにあたり、本願発明では、停止操作部が操作されたか否かを判別する判別手段の判別結果が非操作状態にあるときの表示操作部の操作に基づいて行われ、情報閲覧権利獲得フラグはＯＦＦにされるのに対して、引用発明１−１では、常に情報表示手段（報知ランプ２７）に抽選情報が演出表示（点灯することによるフラグ報知）が行われ、情報閲覧権利獲得フラグは特別入賞の出現までＯＦＦにされない点。
　
（４）判断
　相違点１について検討する。
　引用発明２の「小当り」及び「大当り」は「抽選手段で抽選される当選種類」と言うことができ、「各演出パターン群はそれぞれ複数の演出パターンで形成してＲＯＭ２２に収められて」ている事項は、本願補正発明の「抽選情報を演出表示する複数の演出形態を記憶する記憶装置」を備えた事項に対応する。また、引用発明２において「演出パターン群の中から特定の演出パターンを選択」するにあたり、抽選手段によって選択することは常套手段であるから、本願補正発明の「抽選手段による抽選結果に基づいて記憶装置に記憶されている抽選結果に対応する演出形態の中から一つの演出形態を抽選する演出抽選手段」を実質的に備えていると言える。さらに、引用発明２の「このように選択したパターンを液晶表示器６に表示させた後、回転中のリール４Ｌ，４Ｃ，４Ｒについて入賞リクエスト信号に応じた停止制御を行う」事項について、「選択したパターンを液晶表示器６に表示させ」ることは、本願補正発明において「演出抽選手段で抽選された演出形態」を「情報表示手段」に表示させることに対応し、該表示は、「回転中のリール４Ｌ，４Ｃ，４Ｒについて入賞リクエスト信号に応じた停止制御を行う」前、すなわち「停止操作部の操作前」になされる。
　よって、引用発明２は、「抽選手段で抽選される当選種類毎に、抽選情報を演出表示する複数の演出形態を記憶する記憶装置と、抽選手段による抽選結果に基づいて記憶装置に記憶されている抽選結果に対応する演出形態の中から一つの演出形態を抽選する演出抽選手段と、演出抽選手段で抽選された演出形態を停止操作部の操作前に表示させる情報表示手段を設けたスロットマシン」の発明と換言することができる。
　引用発明１−１及び引用発明２は、何れもスロットマシンに関するものであり、しかも両者は抽選情報を演出表示するものである点でも共通するから、引用発明１−１に引用発明２を適用することは、当業者であれば容易になしえるものである。そして、該適用の際、演出形態の記憶・抽選・表示を「小当り」「大当り」の「当選種類毎」に行うことに代えて、「当選図柄毎」に行うようにすること、及び、抽選情報の閲覧権利が得られたことを表示する演出形態についても他の演出形態と同様に記憶・抽選・表示するようにすることは、何れも当業者にとっては設計的事項の範囲のものである。
　よって、相違点１にかかる本願補正発明の構成は、引用発明１−１及び引用発明２に基づいて当業者であれば容易に想到しえるものである。
　
　次に、相違点２について検討する。
　引用発明１−１では、演出抽選手段で抽選情報を閲覧できる情報閲覧権利が抽選されたとき、抽選情報の閲覧は、実行中のゲーム以降において可能であるが、これを次ゲームにおいて可能とするように変更することは、当業者にとっては設計的事項の範囲のものである。そして、次ゲームにおいて可能とするように変更した場合、情報閲覧権利獲得の演出形態の表示及び情報閲覧権利獲得フラグのＯＮを実行するタイミングは、次のゲームが開始されるまでに行われることを条件として定めることができるから、該タイミングを図柄表示手段が作動停止してから表示窓の入賞ライン上に停止する図柄表示手段の図柄組合せを判定するまでの間とすることは当業者であれば適宜なしえる事項である。
　よって、相違点２にかかる本願補正発明の構成は、当業者にとっては設計的事項の範囲のものである。
　
　最後に、相違点３について検討する。
　引用例１の第１０図は引用発明１−２の制御手順を示すものであるが、該図中「ＳＴ８」のステップは「停止操作が操作されたか否かを判別する」ものであり、かかる判別を行うために「判別手段」を備えることは自明である。また、「押釦スイッチ」の操作は、本願補正発明の「表示操作部の操作」に対応するから、引用発明１−２は「停止操作部が操作されたか否かを判別する判別手段の判別結果が非操作状態にあるときの表示操作部の操作に基づいて、情報表示手段に抽選情報を演出表示するスロットマシン」の発明と換言することができる。
　そして、情報閲覧権利獲得フラグがＯＮ状態にあるという条件の下で、引用発明１−１の「常に情報表示手段に抽選情報が演出表示が行われる」という事項に換えて、引用発明１−２を採用することは、当業者であれば容易になしえるものである。また、引用例１に「現在設定されているモードに関わらず、所定時間おき、または所定数のゲームが実行される毎に、モードを切り換えるか否かを決定するようにしてもよい。」（段落００８９、記載事項（２）ク参照）と例示されるように、報知又は非報知のモードを切り換える（情報閲覧権利獲得フラグをＯＮ又はＯＦＦにする）タイミングは、スロットマシンの遊技性等を考慮しつつ、当業者が適宜定めるものであり、抽選情報を演出表示が行われると情報閲覧権利獲得フラグをＯＦＦにするようにすることは、当業者が適宜なしえる設計的事項にすぎない。
　よって、相違点３にかかる本願補正発明の構成は、引用発明１−１及び引用発明１−２に基づいて当業者であれば容易に想到しえるものである。
　
　また、本願補正発明の作用効果も引用発明１−１、引用発明１−２及び引用発明２に記載された技術事項から当業者が予測できる範囲のものである。
　
　したがって、本願補正発明は、引用発明１−１、引用発明１−２及び引用発明２に基づいて当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項において準用する同法第１２６条第５項の規定に違反するものであり、特許法第１５９条第１項の規定において読み替えて準用する同法第５３条第１項の規定により却下すべきものである。
　
３　本願発明について
（１）本願発明
　平成１６年１１月１１日付の手続補正は上記のとおり却下されたので、本願の請求項１及び２に係る発明は、平成１６年７月１２日付手続補正書の請求項１及び２に記載された事項により特定されるとおりのものであり、その請求項１に係る発明（以下、「本願発明」という）は、次のとおりのものである。
　
　「表示窓に対して複数種の図柄を順次移動させて表示する複数の図柄表示手段と、
これら複数の図柄表示手段を通常始動させる始動信号を出力する始動操作部と、
始動後の各図柄表示手段をそれぞれ停止させる停止信号を出力する停止操作部と、
始動操作部が操作されたとき、表示窓の入賞ライン上に停止する図柄表示手段の図柄組合せを抽選する抽選手段を備えているスロットマシンであって、
　抽選手段で抽選される当選図柄毎に、抽選情報を演出表示する複数の演出形態と抽選情報の閲覧権利が得られたことを表示する演出形態とを記憶する記憶装置と、
抽選手段による抽選結果に基づいて記憶装置に記憶されている抽選結果に対応する演出形態の中から一つの演出形態を抽選する演出抽選手段と、
演出抽選手段で抽選された演出形態を停止操作部の操作前に表示させる情報表示手段を設けるとともに、
　この情報表示手段での抽選演出形態の表示後で、かつ、停止操作部が操作される前に遊技者によって表示操作部が操作されたことに基づいて、前のゲームで情報閲覧権利が獲得されている条件下において、情報表示手段に抽選情報を演出表示させるように構成し、
　更に、図柄表示手段が作動停止してから表示窓の入賞ライン上に停止する図柄表示手段の図柄組合せを判定するまでの間において、前記演出抽選手段で次のゲーム時に抽選情報を閲覧できる情報閲覧権利が抽選されているとき、情報閲覧権利獲得の演出形態を情報表示手段で表示させるように構成してあるスロットマシン。」
　
（２）引用例
　原査定の拒絶の理由に引用された引用例、及び、その記載事項は前記２（２）に記載したとおりである。
　
（３）対比・判断
　本願発明は、前記２で検討した本願補正発明から「情報閲覧権利獲得の演出形態を情報表示手段で表示させるとともに情報閲覧権利獲得フラグをＯＮにする手段」及び「前記表示操作部の操作に基づいて情報閲覧権利獲得フラグをＯＦＦにするとともに情報表示手段に抽選情報を演出表示させる手段」との発明特定事項について、「情報閲覧権利獲得の演出形態を情報表示手段で表示させるように構成してある」及び「情報表示手段に抽選情報を演出表示させるように構成し」のように「情報閲覧権利獲得フラグをＯＮにする」及び「前記表示操作部の操作に基づいて情報閲覧権利獲得フラグをＯＦＦにする」との限定を省いたものに実質的に相当する。
　そうすると、本願発明の構成要件を全て含み、さらに上記限定事項を付加したものに実質的に相当する本願補正発明が、前記２（４）に記載したとおり、引用発明１−１、引用発明１−２及び引用発明２に基づいて当業者が容易に発明をすることができたものであるから、本願発明も引用発明１−１、引用発明１−２及び引用発明２に基づいて容易に発明をすることができたものである。
　
（４）むすび
　以上のとおり、本願発明は、引用発明１−１、引用発明１−２及び引用発明２に基づいて当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。